(57)【要約】      （修正有）【課題】各種の杭や単管等の打撃対象物を確実に叩いて打ち込むことができると共に頭体の側端面の早期損傷を防ぐことができ、使用耐久性を著しく向上することができる掛矢を提供する。【解決手段】木槌状にして木製の頭体１及び柄体２からなり、頭体の左右の側端面Ｈ１のうち、少なくとも一方の側端面に焼入れ材からなる金属製の打撃部材３が取付ねじにより着脱自在に固設されている。【選択図】図１
0003210613.tif 000002
【実用新案登録請求の範囲】
【請求項１】
木槌状にして木製の頭体及び柄体からなり、上記頭体の左右の側端面のうち、少なくとも一方の側端面に焼入れ材からなる金属製の打撃部材を固設してなることを特徴とする掛矢。
【請求項２】
上記打撃部材は上記頭体に着脱自在に固設されてなることを特徴とする請求項１記載の掛矢。
【請求項３】
上記打撃部材は円板状に形成され、上記頭体の左右の側端面のうち、少なくとも一方の側端面に該打撃部材が嵌入可能な凹溝部が形成され、該打撃部材を該凹溝部に着脱自在に取付可能な取付ねじを設けてなることを特徴とする請求項１又は２記載の掛矢。
【考案の詳細な説明】
【技術分野】
【０００１】
本考案は、例えば、建築工事、土木工事等において、杭や単管の打ち込み等に使用される木槌状の掛矢に関するものである。
【背景技術】
【０００２】
従来、この種の掛矢（カケヤ）として、木槌状にして木製の頭体及び柄体からなる構造のものが知られている。
【先行技術文献】
【特許文献】
【０００３】
【特許文献１】実開昭６３−５０６８１号公報
【考案の概要】
【考案が解決しようとする課題】
【０００４】
しかしながら上記従来構造の場合、上記木製の頭体の左右の側端面が打撃面として用いられ、木製の打撃面による打撃効果によって、金属製の打撃面では得られない木製固有の効果を得ることができるものの、杭や単管等の打撃対象物の使用条件によっては、頭体の側端面の早期損傷は避けられず、使用の耐久性に劣ることがあるという不都合を有している。
【課題を解決するための手段】
【０００５】
本考案はこれらの不都合を解決することを目的とするもので、本考案のうちで、請求項１記載の考案は、木槌状にして木製の頭体及び柄体からなり、上記頭体の左右の側端面のうち、少なくとも一方の側端面に焼入れ材からなる金属製の打撃部材を固設してなることを特徴とする掛矢にある。
【０００６】
又、請求項２記載の考案は、上記打撃部材は上記頭体に着脱自在に固設されてなることを特徴とするものであり、又、請求項３記載の考案は、上記打撃部材は円板状に形成され、上記頭体の左右の側端面のうち、少なくとも一方の側端面に該打撃部材が嵌入可能な凹溝部が形成され、該打撃部材を該凹溝部に着脱自在に取付可能な取付ねじを設けてなることを特徴とするものである。
【考案の効果】
【０００７】
本考案は上述の如く、請求項１記載の考案にあっては、上記頭体の左右の側端面のうち、少なくとも一方の側端面に焼入れ材からなる金属製の打撃部材が固設され、建築工事、土木工事等での杭や単管の打ち込み等において、木槌の如く、柄体を握持して打撃部材を打撃部分として打ち込み作業を行うことができ、打撃部材は金属製であって焼入処理された焼入れ材からなるので、各種の杭や単管等の打撃対象物を確実に叩いて打ち込むことができると共に頭体の側端面の早期損傷を防ぐことができ、掛矢の使用の耐久性を著しく向上することができ、各種の杭や単管等の打撃対象物にも適用することができ、使用の利便性及び使用の融通性を向上することができる。
【０００８】
又、請求項２記載の考案にあっては、上記打撃部材は上記頭体に着脱自在に固設されているから、打撃部材を取替交換することができ、打撃対象物の材質や種類に応じて交換することができ、打撃部材の損傷及び変形時に取替交換することもでき、それだけ、使用の利便性を向上することができ、又、請求項３記載の考案にあっては、上記打撃部材は円板状に形成され、上記頭体の左右の側端面のうち、少なくとも一方の側端面に打撃部材が嵌入可能な凹溝部が形成され、打撃部材を凹溝部に着脱自在に取付可能な取付ねじを設けてなるから、頭体と打撃部材とを確実に嵌着固定することができ、打撃部材の離脱を防いで安全性を向上することができると共に取付ねじにより打撃部材の着脱を容易に行うことができ、経済性及び使用の融通性を向上することができる。
【図面の簡単な説明】
【０００９】
【図１】本考案の実施の形態例の全体斜視図である。
【図２】本考案の実施の形態例の分解斜視図である。
【図３】本考案の実施の形態例の部分断面図である。
【考案を実施するための形態】
【００１０】
図１乃至図３は本考案の実施の形態例を示し、１は頭体、２は柄体であって、木製の頭体１及び柄体２により木槌状の掛矢Ｈが形成される。
【００１１】
この場合、上記頭体１及び柄体２は、ケヤキ、イタヤカエデ、クリ、カシ等の生材を乾燥したものが用いられる。
【００１２】
この場合、図１、図２の如く、上記木製の頭体１の中程部に柄体２の先端部を挿入可能な嵌合穴部１ａを形成し、柄体２の先端部に楔受入溝２ａが形成され、柄体２の先端部を頭体１の嵌合穴部１ａに挿入し、楔受入溝２ａに楔材Ｋを打ち込み、楔材Ｋの打ち込みにより柄体２の先端部に木製の頭体１を固着して構成している。
【００１３】
３は打撃部材であって、焼入処理された焼入れ材からなる金属製のものが用いられ、例えば、材質としては、ＳＫ材（炭素工具鋼鋼材）、ＳＣＭ鋼材（クロムモリブデン鋼鋼材）等の焼入れが可能なものが用いられ、望ましくは、表面硬度及び靱性が高く、機械的強度が大きなものが用いられ、この場合、図１、図２、図３の如く、上記頭体１の左右の側端面Ｈ１・Ｈ１のうち、少なくとも一方の側端面Ｈ１に打撃部材３を固設して構成している。
【００１４】
ここに焼入れ材とは、鋼を金属組織がオーステナイト組織になるまで加熱し、その後、急冷してマルテンサイト組織を得る熱処理をいい、材料を硬くして、耐摩耗性、引張強さ、靱性、疲労強度の向上を目的とするものであり、鋼に限らず他の金属を所定の高温状態から急冷させる操作を行う処理を指すものである。
【００１５】
又、この場合、図１、図２、図３の如く、上記打撃部材３は上記頭体１に着脱自在に固設されている。
【００１６】
又、この場合、図１、図２、図３の如く、上記打撃部材３は円板状に形成され、上記頭体１の側端面Ｈ１に打撃部材３が嵌入可能な凹溝部１ｂが形成され、打撃部材３を凹溝部１ｂに着脱自在に取付可能な四個の取付ねじＳ・Ｓ・・を設け、打撃部材３に皿穴部３ａを形成し、取付ねじＳを皿穴部３ａから頭体１に螺着し、打撃部材３を頭体１に着脱自在に固設して構成している。
【００１７】
この実施の形態例は上記構成であるから、上記頭体１の左右の側端面Ｈ１・Ｈ１のうち、少なくとも一方の側端面Ｈ１に焼入れ材からなる金属製の打撃部材３が固設され、建築工事、土木工事等での杭や単管の打ち込み等において、木槌の如く、柄体２を握持して打撃部材３を打撃部分として打ち込み作業を行うことができ、打撃部材３は金属製であって焼入処理された焼入れ材からなるので、各種の杭や単管等の打撃対象物を確実に叩いて打ち込むことができると共に頭体１の側端面Ｈ１の早期損傷を防ぐことができ、掛矢Ｈの使用の耐久性を著しく向上することができ、各種の杭や単管等の打撃対象物にも適用することができ、使用の利便性及び使用の融通性を向上することができる。
【００１８】
この場合、上記頭体１の左右の側端面Ｈ１・Ｈ１のうち、一方の側端面Ｈ１にのみ焼入れ材からなる金属製の打撃部材３が固設されているから、打撃部材３による打ち込み及び他方の側端面Ｈ１による打ち込みが選択的に可能となり、金属製の打撃部材３による打撃効果及び木製の打撃面による打撃効果を選択することができ、金属製の打撃面には得られない木製固有の効果をも得ることができ、それだけ、使用の融通性を向上することができる。
【００１９】
又、この場合、上記打撃部材３は上記頭体１に着脱自在に固設されているから、打撃部材３を取替交換することができ、打撃対象物の材質や種類に応じて交換することができ、打撃部材３の損傷及び変形時に取替交換することもでき、それだけ、使用の利便性を向上することができ、又、この場合、上記打撃部材３は円板状に形成され、上記頭体１の左右の側端面Ｈ１・Ｈ１のうち、少なくとも一方の側端面Ｈ１に打撃部材３が嵌入可能な凹溝部１ｂが形成され、打撃部材３を凹溝部１ｂに着脱自在に取付可能な四個の取付ねじＳ・Ｓ・・を設けてなるから、頭体１と打撃部材３とを確実に嵌着固定することができ、打撃部材３の離脱を防いで安全性を向上することができると共に取付ねじＳにより打撃部材３の着脱を容易に行うことができ、経済性及び使用の融通性を向上することができる。
【００２０】
尚、本考案は上記実施の形態例に限られるものではなく、例えば、頭体１、柄体２、打撃部材３の材質や大きさや形態は適宜変更して設計されるものである。
【００２１】
以上、所期の目的を充分達成することができる。
【符号の説明】
【００２２】
Ｈ    掛矢
Ｈ１    側端面
Ｓ    取付ねじ
１    頭体
１ｂ    凹溝部
２    柄体
３    打撃部材
【図１】
0003210613.tif 000003
【図２】
0003210613.tif 000004
【図３】
0003210613.tif 000005